(57)【要約】【課題】流し読みと固定読みとの両方の読み取りが行えて、かつ固定読みの読み取り能率を高めること。【解決手段】画像読取装置２００は、隣接して配置されて、原稿が載置される１対の原稿台３０，４０と、１対の原稿台の内、一方の原稿台３０から他方の原稿台４０へ原稿を裏返しにして搬送する搬送部５０と、１対の原稿台より上方に離間して配置されて、１対の原稿台に載置された原稿を読み取る画像読取部６０と、を備えている。原稿台から上方に離間した原稿読取部で原稿を読み取るので、書籍Ｄ２の画像を上向きにして読み取ることができて、書籍Ｄ２をめくるのが容易になる。【選択図】図２
2016066857.tif 000002
【特許請求の範囲】
【請求項１】
隣接して配置されて、原稿が載置される１対の原稿台と、
１対の前記原稿台の内、一方の原稿台から他方の原稿台へ原稿を裏返しにして搬送する搬送手段と、
１対の前記原稿台より上方に離間して配置されて、１対の前記原稿台に載置された原稿を読み取る読取手段と、を備えた、
ことを特徴とする画像読取装置。
【請求項２】
１対の前記原稿台の内、前記他方の原稿台は、原稿の搬送方向の下流側端部を中心にして上流側端部が上下方向に傾動可能であり、前記上流側端部が、前記一方の原稿台の上流側端部に対向しているとき、前記一方の原稿台とで共通の原稿が載置されることが可能であり、前記上流側端部が、前記一方の原稿台の上流側端部より下方に傾いているとき、前記一方の原稿台に載置された原稿が前記他方の原稿台に搬送されることが可能である、
ことを特徴とする請求項１に記載の画像読取装置。
【請求項３】
前記一方の原稿台は、原稿の搬送方向の上流側端部を中心にして、前記搬送方向の下流側端部が上下方向に傾動可能であり、
前記他方の原稿台は、前記搬送方向の下流側端部を中心にして、前記搬送方向の上流側端部が上下方向に傾動可能であり、
１対の前記原稿台は、
前記一方の原稿台の下流側端部と前記他方の原稿台の上流側端部とが下方から上方に傾動した位置にいるとき、共通の原稿が載置されることが可能であり、
前記一方の原稿台の下流側端部と前記他方の原稿台の上流側端部とが下方に傾いているとき、前記一方の原稿台に載置された原稿が前記他方の原稿台に搬送されることが可能である、
ことを特徴とする請求項１に記載の画像読取装置。
【請求項４】
前記他方の原稿台の上流側端部が下方から上方に傾動した位置にいることを検知する検知手段を備えた、
ことを特徴とする請求項２又は３に記載の画像読取装置。
【請求項５】
前記他方の原稿台の下流側端部が下方に傾いて前記一方の原稿台の上流側端部との間に生じた段差の位置に、前記他方の原稿台に排出される原稿の後端を受け止める受け止め部を設けた、
ことを特徴とする請求項２乃至４のいずれか１項に記載の画像読取装置。
【請求項６】
前記一方の原稿台の下流側端部が上方から下方に傾動して前記上方と前記下方との間に生じた段差の位置に、前記一方の原稿台に載置される原稿の先端を受け止める受け止め部を設けた、
ことを特徴とする請求項３乃至５のいずれか１項に記載の画像読取装置。
【請求項７】
前記他方の原稿台を傾斜させる傾動手段を備えた、
ことを特徴とする請求項２乃至６のいずれか１項に記載の画像読取装置。
【請求項８】
１対の前記原稿台を傾動させる傾動手段を備えた、
ことを特徴とする請求項３乃至７のいずれか１項に記載の画像読取装置。
【請求項９】
原稿の画像を読み取る画像読取装置と、
前記画像読取装置の画像読取情報に基づいてシートに画像を形成する画像形成部と、を備え、
前記画像読取装置が請求項１乃至８のいずれか１項に記載の画像読取装置である、
ことを特徴とする画像形成装置。
【発明の詳細な説明】
【技術分野】
【０００１】
本発明は、原稿を読み取る画像読取装置と、この画像読取装置を装置本体に備えた画像形成装置とに関する。
【背景技術】
【０００２】
従来、原稿の画像を読み取る画像読取装置には、自動原稿搬送装置と、原稿を読み取る画像読取部とを備えたものがある（特許文献１）。このような画像読取装置は、自動原稿搬送装置によって原稿を画像読取部に順次搬送して画像読取部で原稿を読み取る流し読みと、画像読取部にユーザが載置した原稿を読み取る固定読みとを行えるようになっている。
【先行技術文献】
【特許文献】
【０００３】
【特許文献１】特開平９−１０２８３６号公報
【発明の概要】
【発明が解決しようとする課題】
【０００４】
しかし、自動原稿搬送装置を備えた従来の画像読取装置は、固定読みをするとき、自動原稿搬送装置を画像読取部に原稿を置くために、自動原稿搬送装置を開閉しなければならなかった。特に、原稿が書籍の場合、書籍の読み取る頁をめくる必要があり、頁をめくるたびに、原稿搬送装置を画像読取部に対して開閉し、かつ書籍をひっくり返して頁をめくるため、読み取り時間を短縮することが困難であった。
【０００５】
また、原稿を読み取る時間を短縮することが困難な画像読取装置を備えた画像形成装置は、単位時間当たりに、シートに画像を形成するシートの枚数を増やすことが困難であった。
【０００６】
本発明は、流し読みと固定読みとの両方の読み取りが行えて、かつ固定読みの読み取り能率を高めた画像読取装置と、この画像読取装置を備えて、シートに画像を形成する単位時間当たりのシートの枚数を増やした画像形成装置とを提供することにある。
【課題を解決するための手段】
【０００７】
本発明の画像読取装置は、隣接して配置されて、原稿が載置される１対の原稿台と、１対の前記原稿台の内、一方の原稿台から他方の原稿台へ原稿を裏返しにして搬送する搬送手段と、１対の前記原稿台より上方に離間して配置されて、１対の前記原稿台に載置された原稿を読み取る読取手段と、を備えた、ことを特徴としている。
【０００８】
本発明の画像形成装置は、原稿の画像を読み取る画像読取装置と、前記画像読取装置の画像読取情報に基づいてシートに画像を形成する画像形成部と、を備え、前記画像読取装置が上記の画像読取装置である、ことを特徴としている。
【発明の効果】
【０００９】
本発明の画像読取装置は、一方の原稿台で画像を読み取った原稿を裏返しにして他方の原稿台で読み取る流し読みと、１対の原稿台の内、少なくとも一方の原稿台に載置した原稿を読み取る固定読みとを行えるようになっている。この場合、画像読取装置は、原稿台から上方に離間した読取手段で原稿を読み取るので、原稿の画像を上向きにして読み取ることができる。この結果、本発明の画像読取装置は、固定読みのとき、原稿が書籍であっても、書籍を原稿台に載置したままで、原稿をめくることができて、固定読みの読み取り能率を高めることができる。
【００１０】
また、本発明の画像読取装置は、原稿を読み取る時間を短縮することができる画像読取装置を備えているので、単位時間当たりのシートに画像を形成する枚数を増やすことができるという効果を奏する。
【図面の簡単な説明】
【００１１】
【図１】本発明の実施形態に係る画像形成装置のシート搬送方向に沿った断面概略図であり、画像読取装置が原稿を流し読みするときの図である。
【図２】図１の画像読取装置に原稿として書籍が載置された図である。
【図３】原稿台を傾動させる傾動部の斜視図である。（Ａ）は流し読みのときの状態の図である。（Ｂ）は固定読みとのときの状態図である。（Ｃ）は、（Ａ）において、矢印Ｈ方向から見た図である。
【図４】他の実施形態の画像読取装置において、原稿を流し読みするときの図である。
【図５】さらに他の実施形態の画像読取装置において、原稿を流し読みするときの図である。
【図６】図４の画像読取装置に原稿として書籍を固定読みするときの図である。
【発明を実施するための形態】
【００１２】
以下、本発明の実施形態の画像読取装置を装置本体に備えた画像形成装置を図１に基づいて説明する。図１は、本発明の実施形態に係る画像形成装置１のシート搬送方向に沿った断面概略図である。
【００１３】
画像形成装置１は、装置本体１Ａと、装置本体１Ａの上部に設けられた画像読取装置２００とを備えて、原稿を複写するようになっている。画像形成装置には、複写機、プリンタ（電子写真式のレーザビームプリンタ）、ファクシミリ及びこれらの複合機等がある。
【００１４】
装置本体１Ａは、画像読取装置２００からの画像読取情報に基づいて画像形成部１１でシートＰにトナー画像を形成するようになっている。
【００１５】
画像形成部１１は、次の各構成要素などによって形成されている。トナー画像が形成される感光体ドラム１８。感光体ドラム１８にレーザ光を照射して静電潜像を形成するレーザスキャナユニット１９。感光体ドラム１８に形成された静電潜像をトナー像として可視化する現像器２０。可視化されたトナー像をシートＰに転写する転写器１３。転写されたトナー像を定着させる定着器１４。定着器１４は、ヒータを内蔵してシートを加熱する定着ローラ２２と、定着ローラ２２にシートを圧接する加圧ローラ２３とを備えている。
【００１６】
シート給送部１２は、装置本体１Ａの下部に配設されており、シートＰを積載して収容する給送カセット３と、給送カセット３に収納されたシートを分離給送する分離給送ユニット２１と、を備えている。
【００１７】
制御部４は、画像形成ジョブの開始にともなって、画像読取装置２００に原稿を読み取らせて、画像データ信号をレーザスキャナユニット１９に送信させる。レーザスキャナユニット１９は、画像データ信号に応じて感光体ドラム１８の表面にレーザ光を照射する。所定の極性電位に一様に帯電された感光体ドラム１８の表面がレーザ光によって露光され、感光体ドラム１８の表面に静電潜像が形成される。静電潜像は、現像器２０によってトナー現像されて、トナー像となり、可視化される。
【００１８】
トナー像の形成動作と並行して、給送カセット３に収納されたシートＰは、分離給送ユニット２１により１枚ずつに分離されて、給送カセット３から搬送ローラ対２６に搬送される。搬送ローラ対２６は、シートをレジストローラ対２７に搬送する。そして、レジストローラ対２７は、シートを所定のタイミングで感光体ドラム１８と転写器１３との間に搬送する。転写器１３は、転写器１３に印加された転写バイアスによって感光体ドラム１８上に形成されたトナー像をシートＰに転写する。
【００１９】
感光体ドラム１８と転写器１３は、トナー像が転写されたシートＰを定着器１４に搬送する。定着ローラ２２及び加圧ローラ２３は、シートを加熱加圧して、トナー像をシートに定着する。その後、画像が定着されたシートＰは、定着器１４の下流に設けられた排出ローラ対２４によって排出トレイ２５に排出される。これによって、画像形成ジョブが終了する。
【００２０】
なお、シートＰの両面に画像を形成する場合、制御部４は、定着器１４でトナー像を定着させたシートを、排出ローラ対２４によって排出トレイ２５に排出する前に、排出ローラ対２４を逆回転させて、シートＰを両面搬送路２８に搬送する。そして、両面搬送路２８がシートＰを反転案内する。その後、両面搬送路２８に設けられた複数の搬送ローラ対２９がシートを画像形成部１１に再搬送する。画像形成部１１が他方の面にトナー像を転写し、定着する。最後、排出ローラ対２４が両面にトナー像が形成されたシートを、排出トレイ２５に排出する。
【００２１】
（画像読取装置）
図１は、画像読取装置２００に用紙の原稿Ｄ１が載置された図である。図２は、図１の画像読取装置２００に原稿として書籍Ｄ２が載置された図である。図３は、原稿台を傾動させる傾動部７０の斜視図である。
【００２２】
画像読取装置２００は、主に、次の各構成要素を備えている。隣接して配置されて、原稿Ｄが載置される１対の原稿台としての第１原稿台３０および第２原稿台４０（以下、「１対の原稿台３０，４０」とも言う）。１対の原稿台３０，４０の内、一方の原稿台としての第１原稿台３０から他方の原稿台としての第２原稿台４０へ原稿Ｄを裏返しにして搬送する搬送手段としての原稿搬送部５０。１対の原稿台３０，４０より上方に離間して配置されて、１対の原稿台３０，４０に載置された原稿Ｄを読み取る読取手段としての画像読取部６０。１対の原稿台３０，４０を上下方向Ｆ，Ｇに傾動させる傾動手段としての傾動部７０（図３）。
【００２３】
なお、図１において、原稿の搬送方向Ｅに基づいて、第１の原稿台３０の右端部を上流側端部３０ａ、左端部を下流側端部３０ｂ、第２の原稿台４０の左端部を上流側端部４０ｂ、右端部を下流側端部４０ａとする。
【００２４】
第１の原稿台３０（図３）は、上流側端部３０ａの支軸３１を中心にして下流側端部３０ｂが上下方向Ｆ，Ｇに傾動可能に画像読取装置２００の装置本体２００Ａに設けられている。第２の原稿台４０は、下流側端部４０ａの支軸４１を中心にして上流側端部４０ｂが上下方向Ｆ，Ｇに傾動可能に画像読取装置２００の装置本体２００Ａに設けられている。
【００２５】
原稿搬送部５０は、１対の原稿台３０，４０が図１のように、下流側端部３０ｂ、上流側端部４０ｂが下方に傾斜しているときに第１の原稿台３０の下流側端部３０ｂから第２の原稿台４０の上流側端部４０ｂに原稿を案内する原稿案内路５１を備えている。原稿案内路５１（図２）には、上流側から順に、ピックアップローラ５２、搬送ローラ５３、リタードローラ５４、搬送ローラ対５５，５５、及び排出ローラ対５６が配設されている。さらに、原稿案内路５１の入口には、第１原稿台３０が上方の位置（図２に示す位置）から下方の位置（図１に示す位置）に傾斜したときに生じる段差の位置に、原稿受け部５７が設けられている。同様に、原稿案内路５１の出口にも、第２原稿台４０が上方の位置（図２に示す位置）から下方の位置（図１に示す位置）に傾斜したときに生じる段差の位置に、原稿受け部５８が設けられている。
【００２６】
画像読取部６０は、１対の原稿台３０，４０に各々対向する１対の光源６１，６２と、１対の光源６１，６２の間に位置して、光を電気信号に変換する受光部６３等を備えている。
【００２７】
傾動部７０は、図３に示すように、駆動モータＭ、駆動歯車７１、ラチェット歯車７２、第１の回転軸７３、カム７４、プーリ７５、ベルト７６、プーリ８５、第２の回転軸８３、カム８４、センサＳ１（図３（Ｃ））等で構成されている。
【００２８】
以上の構成において、画像読取装置２００が原稿Ｄ１を流し読みするときの動作を説明する。流し読みは、第１の原稿台３０から第２に原稿台４０に搬送して少なくとも一方の面を読み取る、読み取り方のことである。
【００２９】
流し読みのとき、１対の原稿台３０，４０は、図３（Ａ）に示すように、下流側端部３０ｂ、上流側端部４０ｂが上流側端部３０ａ、下流側端部４０ａより下方に傾斜している。傾斜した第１原稿台３０に原稿Ｄ１がユーザによって載置される。載置された原稿Ｄ１は、先端（図１の左端）を原稿受け部５７に受け止められて位置決めされる。この状態で、画像読取部６０が光源６１によって原稿を照射し、その反射光を受光部６３で受光する。これよって、第１原稿台３０に載置された原稿の一方の面が読み取られる。
【００３０】
その後、ピックアップローラ５２が、第１の原稿台３０に載置された原稿Ｄ１上に下降して接触して回転し、原稿Ｄ１を装置本体２００Ａ内に引き込む。搬送ローラ５３とリタードローラ５４は、装置本体２００Ａ内に原稿を挟んで、搬送ローラ５３の回転によって原稿を搬送する。原稿が重なっているとき、リタードローラ５４が逆転して、原稿を第１原稿台３０に戻す。この結果、原稿は１枚だけ、原稿案内路５１の案内と、搬送ローラ対５５，５５の搬送とによって、排出ローラ対５６に搬送され、排出ローラ対５６によって第２原稿台４０に排出される。この間に、原稿は、表裏反転させられ、裏返しになって第２原稿台４０に排出される。
【００３１】
第２原稿台４０に排出された原稿は、後端（図１の左端）を原稿受け部５８に受け止められて、第２原稿台４０に位置決めされて、裏面の画像を画像読取部６０の光源６２に照射されて読み取られる。このようにして、画像読取装置２００は、第１原稿台３０に載置された原稿を、順次、流し読みして、画像形成装置１の装置本体１Ａに画像情報を送信する。
【００３２】
次に、画像読取装置２００が原稿Ｄ２を固定読みするときの動作を説明する。固定読みは、原稿を第１原稿台３０と第２原稿台４０との少なくとも一方に載置して、そのまま読み取る、読み取り方のことを言う。
【００３３】
固定読みの場合、制御部４（図１）が傾動部７０の駆動モータＭを回転させる。駆動モータＭは、回転して、駆動歯車７１、駆動歯車に噛み合っているラチェット歯車７２、歯車７２と一体の第１の回転軸７３を介して第１の回転軸７３と一体の１対のカム７４を矢印Ｆ方向に回転させる。カム７４は、第１原稿台３０の下流側端部３０ｂを押し上げる。これによって、第１原稿台３０は、支軸３１を中心にして、下流側端部３０ｂが矢印Ｆ方向に回転して、図２に示すように水平になる。
【００３４】
また、第１の回転軸７３が回転すると、その回転力が、第１の回転軸７３と一体のプーリ７５、ベルト７６、プーリ８５、プーリ８５と一体の第２の回転軸８３及び１対のカム８４に伝達される。カム８４も矢印Ｆ方向に回転する。これによって、第２原稿台４０も、支軸４１を中心にして、上流側端部４０ｂが矢印Ｆ方向に回転して、図２に示すように水平になる。１対の原稿台３０，４０が水平になるとき、第２原稿台４０の上流側端部４０ｂに設けられたセンサＳ１（図３（Ｃ））が、第２原稿台４０の傾動にともなって、第１原稿台３０の上流側端部３０ａに接近して、上流側端部３０ａを検知する。制御部４は、センサＳ１が第１原稿台３０の上流側端部３０ａを検知すると、１対の原稿台３０，４０が水平になったものと判断をする。
【００３５】
そして、ユーザが、水平になった１対の原稿台３０，４０上に原稿としての書籍Ｄ２を開いて載置する。画像読取部６０は、書籍Ｄ２の開いた部分の画像を読み取る。ユーザは、画像読取部６０が開いた部分の画像を読み終わる度に、頁をめくって、他の頁を画像読取部６０に読み取らせる。固定読みの場合、このように、書籍Ｄ２の開いた部分を上にしたままで、頁をめくるだけで、書籍を読み取ることができる。このため、本実施形態の画像読取装置２００は、固定読みのとき、従来と異なって、書籍をひっくり返して頁をめくる必要が無いため、読み取り時間を短縮することができる。
【００３６】
画像読取装置２００を固定読みの状態から流し読みに変更するには、制御部４は、駆動モータＭを逆回転させて、１対の原稿台３０，４０を傾斜させればよい。
【００３７】
なお、以上の説明の１対の原稿台は、原稿を載置される原稿載置面３０ｃ，４０ｃが同一面のとき、水平になっているが、図４に示す画像形成装置１０１の画像読取装置２０１のように、同一面であっても、原稿が滑り落ちない程度に傾斜していてもよい。この場合、第２原稿台１４０は、下流側端部１４０ａを中心にして、上流側端部１４０ｂが上下方向に実線の位置と破線の位置とに傾動するように装置本体２０１Ａに設けられている。そして、第１原稿台１３０は、下流側端部１３０ｂが上流側端部１３０ａより低い位置に固定されて傾いたままである。したがって、固定読みするとき、第２原稿台１４０を、実施の位置に傾動させて、原稿載置面１３０ｃ、１４０ｃを同一面にする。流し読みするとき第２原稿台１４０のみ、破線の位置に傾動させる。このようにすると、第１原稿台１３０を傾動させる傾動部が不要になり、構造を簡単にすることができる。なお、図４において、図１と同一部分については、同一符号を付してその部分の説明は省略する。但し、画像形成装置の装置本体の符号を１０１Ａにする。
【００３８】
さらに、図５に示す画像読取装置２０２のように、１対の原稿台２３０，２４０を傾けることなく、流し読みをしてもよい。この場合、図３に示す傾動部７０を必要としないので、構成を簡単にすることができる。図６は、固定読みによって、共通の書籍Ｄ２を読み込んでいる状態の図である。
【００３９】
また、画像読取部６０は、原稿としての書籍の厚みや、頁のめくり易さに合わせて、高さを調整できるようになっていてもよい。
【００４０】
以上、説明したように、本実施形態の画像読取装置２００，２０１，２０２は、流し読みのときも、固定読みのときも、従来と異なって、画像読取部６０を移動させる必要がないので、構造を簡単にすることができる。また、固定読みのとき、従来と異なって、流し読みに必要な原稿を搬送する原稿搬送部を開閉する必要がなく、さらに、書籍のような原稿の場合、原稿をひっくり返す必要が無く、取扱いが簡単であり、画像の読み取り能率を向上させることができる。
【００４１】
画像読取装置は、原稿を読み取る時間を短縮することができる画像読取装置を備えているので、単位時間当たりのシートに画像を形成する枚数を増やすことができるという効果を奏する。
【符号の説明】
【００４２】
１，１０１：画像形成装置、１Ａ，１０１Ａ：画像形成装置の装置本体、３０，１３０，２３０：第１原稿台、３０ａ：上流側端部、３０ｂ：下流側端部、４０，１４０，２４０：第２原稿台、４０ａ：下流側端部、４０ｂ：上流側端部、５０：原稿搬送部（搬送手段）、５７，５８：原稿受け部（受け止め部）、６０：画像読取部（画像読取手段）、７０：傾動部（傾動手段）、Ｓ１：センサ（検知手段）、２００：画像読取装置、２００Ａ：画像読取装置の装置本体、Ｅ：原稿搬送方向、Ｆ，Ｇ：上下方向、Ｄ１，Ｄ２：原稿、Ｐ：シート。
【図１】
2016066857.tif 000003
【図２】
2016066857.tif 000004
【図３】
2016066857.tif 000005
【図４】
2016066857.tif 000006
【図５】
2016066857.tif 000007
【図６】
2016066857.tif 000008